(57)【特許請求の範囲】
【請求項１】
電気的な値を測定するテスタの略直方体状のテスタ本体の両側面を把持する把持体と、
前記把持体に連結され、前記把持体の把持方向にほぼ垂直な方向に延び、長さを変更自在な伸縮体と、
前記伸縮体の自由端部に設けられ、外部の部材に着脱自在な着脱手段と、を備え
前記伸縮体は、巻尺状で前記把持体内に収容され、前記自由端部側が前記把持体から突出して延びる、
ことを特徴とするテスタ吊り下げアダプタ。
【請求項２】
前記伸縮体の長手方向を軸にして、前記着脱手段に対して前記把持体が回転自在となっている、
ことを特徴とする請求項１に記載のテスタ吊り下げアダプタ。
【請求項３】
前記把持体は、対向する２つの把持部を備え、少なくとも一方の把持部が移動することで、大きさが異なる前記テスタ本体を把持可能となっている、
ことを特徴とする請求項１または２のいずれか１項に記載のテスタ吊り下げアダプタ。
【請求項４】
前記着脱手段は、前記伸縮体に対して着脱自在となっている、
ことを特徴とする請求項１〜３のいずれか１項に記載のテスタ吊り下げアダプタ。
【発明の詳細な説明】
【技術分野】
【０００１】
この発明は、電圧や電流、電気抵抗などの電気的な値を測定するテスタを吊り下げるためのテスタ吊り下げアダプタに関する。
【背景技術】
【０００２】
テスタのテスタ本体を見やすく安定したところに置けない状況・環境で、被測定物の電圧や電流、電気抵抗などを測定しなければならない場合、従来、一人での測定が困難なため、二人で行う必要があった。すなわち、第１の測定者がテスタ本体を持ち、第２の測定者がテスタのテスタリード（測定端子）を被測定物に当てて測定する必要があり、不便であるばかりでなく、多くの人員、費用を要していた。
【０００３】
このため、テスタ本体の裏壁に磁石を設け、配電盤などの磁性体で構成される部分にテスタ本体を吸着させることで、一人での測定が可能なテスタが知られている（例えば、特許文献１参照。）。
【先行技術文献】
【特許文献】
【０００４】
【特許文献１】特開２００８−６４６１１号公報
【発明の概要】
【発明が解決しようとする課題】
【０００５】
しかしながら、測定作業をする場所に配電盤などの磁性体の部材があるとは限らず、磁性体の部材がない場所では、特許文献１のテスタを使用して一人で測定することはできない。また、磁性体の部材があったとしても、その部材が測定者の目線の高さにない場合には、テスタの測定結果を読み取ることが困難となる、という問題があった。
【０００６】
そこでこの発明は、テスタ本体を見やすく安定したところに置けない場合であっても、一人での測定を容易に行えるようにするテスタ吊り下げアダプタを提供することを目的とする。
【課題を解決するための手段】
【０００７】
上記課題を解決するために、請求項１の発明は、電気的な値を測定するテスタの略直方体状のテスタ本体の両側面を把持する把持体と、前記把持体に連結され、前記把持体の把持方向にほぼ垂直な方向に延び、長さを変更自在な伸縮体と、前記伸縮体の自由端部に設けられ、外部の部材に着脱自在な着脱手段と、を備え、前記伸縮体は、巻尺状で前記把持体内に収容され、前記自由端部側が前記把持体から突出して延びる、ことを特徴とする。
【０００８】
この発明によれば、把持体でテスタ本体の両側面を把持し、外部の部材（例えば、配電盤の扉）に着脱手段を装着・接続し、伸縮体の長さを変更してテスタ本体を所望の高さに配置する。
【０００９】
請求項２の発明は、請求項１に記載のテスタ吊り下げアダプタにおいて、前記伸縮体の長手方向を軸にして、前記着脱手段に対して前記把持体が回転自在となっている、ことを特徴とする。
【００１０】
請求項３の発明は、請求項１または２に記載のテスタ吊り下げアダプタにおいて、前記把持体は、対向する２つの把持部を備え、少なくとも一方の把持部が移動することで、大きさが異なる前記テスタ本体を把持可能となっている、ことを特徴とする。
【００１３】
請求項４の発明は、請求項１から３のいずれか１項に記載のテスタ吊り下げアダプタにおいて、前記着脱手段は、前記伸縮体に対して着脱自在となっている、ことを特徴とする。
【発明の効果】
【００１４】
請求項１の発明によれば、外部の部材に着脱手段を装着・接続し、伸縮体の長さを変更・調整することで、テスタ本体が所望の高さに吊り下げられる。このため、テスタ本体を見やすく安定したところに置けない場合であっても、一人で容易かつ適正に測定を行うことができる。しかも、本テスタ吊り下げアダプタを既存・既製のテスタに取り付ければよく、既存・既製のテスタをそのまま使用できるばかりでなく、１つの本テスタ吊り下げアダプタを複数のテスタに使い回しすることができ、経済的であるとともに、伸縮体が巻尺状で把持体内に収容されており、巻尺のように伸縮体を把持体から伸ばしたり縮めたりするだけでよいため、使い勝手がよい。また、伸縮体を完全に把持体内に収容することで、コンパクトになって持ち運びや保管も容易となる。
【００１５】
請求項２の発明によれば、伸縮体の長手方向を軸にして、着脱手段に対して把持体が回転自在なため、把持体を回転させてテスタ本体を所望の向きに配置することができる。このため、一人での測定をより容易かつ適正に行うことが可能となる。
【００１６】
請求項３の発明によれば、大きさが異なるテスタ本体を把持体が把持可能なため、１つの本テスタ吊り下げアダプタを大きさが異なる複数のテスタに使用することができ、経済的である。
【００１９】
請求項４の発明によれば、着脱手段が伸縮体に対して着脱自在なため、不要の際に着脱手段を伸縮体から取り外したり、外部の部材などに応じて異なる構造や材質の着脱手段を伸縮体に連結したりすることができ、使い勝手がよい。
【図面の簡単な説明】
【００２０】
【図１】この発明の実施の形態１に係るテスタ吊り下げアダプタを示す正面図（ａ）と側面図（ｂ）である。
【図２】図１のテスタ吊り下げアダプタの第２の把持部周辺を示す拡大図（一部断面図）である。
【図３】図２における第２の把持部が開いた状態を示す拡大図である。
【図４】図１のテスタ吊り下げアダプタの伸縮帯とストッパの周辺を示す側面図である。
【図５】図１のテスタ吊り下げアダプタの第１の装着アダプタを示す正面図である。
【図６】図１のテスタ吊り下げアダプタの第２の装着アダプタを示す正面図である。
【図７】この発明の実施の形態２に係るテスタ吊り下げアダプタを示す正面図である。
【図８】この発明の実施の形態３に係るテスタ吊り下げアダプタの第２の把持部周辺を示す拡大図（一部断面図）である。
【図９】図８における第２の把持部が開いた状態を示す拡大図である。
【発明を実施するための形態】
【００２１】
以下、この発明を図示の実施の形態に基づいて説明する。
【００２２】
（実施の形態１）
図１〜図６は、この実施の形態を示し、図１は、この実施の形態に係るテスタ吊り下げアダプタ１を示す正面図（ａ）と側面図（ｂ）である。このテスタ吊り下げアダプタ１は、電圧、電流および電気抵抗を含む電気的な値を測定するテスタ１０を吊り下げるためのアダプタであり、主として、クランプ（把持体）２と、伸縮帯（伸縮体）３と、装着アダプタ（着脱手段）４、５と、を備える。
【００２３】
ここで、この実施の形態におけるテスタ１０は、主に、テスタ本体１１とテストリード１２を備える。テスタ本体１１は、奥行きが比較的小さい略直方体状で、表面に測定結果を示す指示部１１１と複数の端子１１２を備え、端子１１２にテストリード１２の接続部を装着して使用するものである。
【００２４】
クランプ２は、テスタ本体１１の両側面を（幅方向に）把持・挟持するものであり、全体が略コ字状で、対向する２つの把持部２１２、２２１を備え、第２の把持部（一方の把持部）２２１が移動することで、大きさが異なるテスタ本体１１を把持可能となっている。すなわち、クランプ２は、クランプ本体２１とスライダ２２を備える。
【００２５】
クランプ本体２１は、Ｌ字を９０°寝かせたような形状で、水平に延びる基部２１１と、この基部２１１の一端部からほぼ垂直に延びる第１の把持部２１２と、を一体的に有する。基部２１１の他端部の端面には、図２に示すように、バネ挿入穴２１１ａが形成されている。
【００２６】
スライダ２２は、図２に示すように、四角いブロック状の第２の把持部２２１と、この第２の把持部２２１の一側面に接続された柱状のバネ支持部２２２と、圧縮バネ２３と、バネカバー２４と、を有する。バネ支持部２２２の自由端部（反第２の把持部２２１側の端部）には、ツバ部２２２ａが形成され、バネ支持部２２２が圧縮バネ２３のコイル内に挿入・装着されている。また、バネカバー２４は、薄い平板状で、平面形状がクランプ本体２１の基部２１１の他端面とほぼ同形状で、バネ支持部２２２を挿入するためのガイド孔２４ａが形成されている。
【００２７】
そして、クランプ本体２１のバネ挿入穴２１１ａにツバ部２２２ａ側からバネ支持部２２２が挿入され、バネカバー２４がクランプ本体２１の基部２１１の他端面にネジなどで固定されている。さらに、バネ支持部２２２の基端部（反ツバ部２２２ａ側の端部）の端面に、第２の把持部２２１がネジなどで接続されている。
【００２８】
これにより、第２の把持部２２１が圧縮バネ２３のバネ力によって常に第１の把持部２１２側に押圧されているとともに、第２の把持部２２１が第１の把持部２１２に対して進退動（スライド）自在となっている。そして、図３に示すように、圧縮バネ２３のバネ力に抗して第２の把持部２２１を反第１の把持部２１２側にスライドさせ、第１の把持部２１２と第２の把持部２２１の間にテスタ本体１１の上部を配置して第２の把持部２２１を放すと、第２の把持部２２１が第１の把持部２１２側にスライドして、第１の把持部２１２と第２の把持部２２１とでテスタ本体１１が把持される。このようにして、第２の把持部２２１をスライドさせるだけで、大きさが異なるテスタ本体１１を把持可能となっている。
【００２９】
ここで、圧縮バネ２３のバネ力（バネ係数）は、テスタ本体１１を確実・強固に把持することができ、かつ、第２の把持部２２１を手でスライドできるように設定されている。また、バネ支持部２２２およびガイド孔２４ａの断面形状は、円形ではないＤ字形や角形に形成され、これにより、第２の把持部２２１が回転せずに、第１の把持部２１２に対向してスライドするようになっている。さらに、テスタ本体１１を把持する第１の把持部２１２と第２の把持部２２１の把持面には、ゴムなどで構成された滑り止めが設けられている。
【００３０】
伸縮帯３は、クランプ２に連結され、クランプ２の把持方向にほぼ垂直な方向に延び、長さを変更自在なものであり、巻尺状でクランプ２内に収容され、自由端部側がクランプ２から突出して延びている。すなわち、ねじれない程度の剛性を有する帯体で構成され、基端部が渦巻き状に巻かれてクランプ本体２１の基部２１１の中央部内に回転自在に収容され、自由端部側が基部２１１の上面（反テスタ本体１１側の面）から上方に突出している。ここで、伸縮帯３の幅方向がクランプ２の幅方向に沿うように、伸縮帯３が配設され、把持部２１２、２２１間を直交するように伸縮帯３がクランプ本体２１の基部２１１から延びている。
【００３１】
また、クランプ本体２１の基部２１１の上部にストッパ３１が、基部２１１の奥行き方向にスライド自在に配設され、このストッパ３１は、操作部３１ａが基部２１１の上面から突出し、押圧部３１ｂが基部２１１内に配置されている。さらに、バネ（押圧手段、図示せず）によってストッパ３１が常に伸縮帯３側に押圧され、ストッパ３１の押圧部３１ｂと基部２１１内の凸部２１１ｂによって伸縮帯３が挟持されて、伸縮帯３が伸縮（基部２１１から出入り）しないようになっている。一方、バネ力に抗してストッパ３１を反伸縮帯３側にスライドさせると、伸縮帯３の挟持が解除されて伸縮帯３が伸縮可能となり、ストッパ３１を放すと再び伸縮帯３が挟持されて長さが固定される。このように、ストッパ３１をスライドさせて伸縮帯３を伸縮させることで、基部２１１から突出する伸縮帯３の長さを変更・調整できるものである。
【００３２】
また、伸縮帯３の自由端部には、図１に示すように、円筒状の接続部３２が設けられ、この接続部３２の内面には雌ネジ３２ａが形成されている。
【００３３】
装着アダプタ４、５は、伸縮帯３の自由端部に設けられ、外部の部材に着脱自在なものであり、フック、クリップおよび磁石の少なくともいずれかで構成され伸縮帯３に対して着脱自在となっている。すなわち、この実施の形態では、第１の装着アダプタ４は、フックで構成されて外部の部材に掛かるものであり、第２の装着アダプタ５は、クリップで構成されて外部の部材を挟むものである。
【００３４】
具体的に第１の装着アダプタ４は、図５に示すように、略Ｊ字状で、直線部の端部に雄ネジ４ａが形成されている。そして、雄ネジ４ａを伸縮帯３の接続部３２の雌ネジ３２ａに螺合させたり、螺合解除したりすることで、伸縮帯３に対して着脱自在となっている。また、螺合長さ（回転角）を調整することで、伸縮帯３の長手方向を軸にして、第１の装着アダプタ４に対してクランプ２（テスタ本体１１）が回転自在となっている。つまり、第１の装着アダプタ４を外部の部材に掛けた状態で、クランプ２の向きを変えられるようになっている。
【００３５】
第２の装着アダプタ５は、図６に示すように、平板状の２つのクランプ板５１、５２が対向して配設され、第１のクランプ板５１に設けられたクランプネジ５３が第２のクランプ板５２を貫通している。このクランプネジ５３は、クランプ板５１、５２間に配置されたクランプバネ５４のコイル内に挿入され、クランプネジ５３の自由端部に手回しナット５５が螺合されている。そして、手回しナット５５を緩めると、クランプバネ５４のバネ力によってクランプ板５１、５２間が広がり、クランプ板５１、５２間に外部の部材を配置して手回しナット５５を締めると、外部の部材がクランプ板５１、５２で挟持される。
【００３６】
また、第１の装着アダプタ４と同様に、第１のクランプ板５１の下端部に雄ネジ５ａが設けられ、雄ネジ５ａを伸縮帯３の接続部３２の雌ネジ３２ａに螺合させたり、螺合解除したりすることで、伸縮帯３に対して着脱自在となっている。さらに、螺合長さ（回転角）を調整することで、伸縮帯３の長手方向を軸にして、第２の装着アダプタ５に対してクランプ２（テスタ本体１１）が回転自在となっている。
【００３７】
次に、このような構成のテスタ吊り下げアダプタ１の作用、使用方法などについて説明する。
【００３８】
まず、外部の部材（例えば、配電盤の扉）の形状や作業環境などに応じた装着アダプタ４、５を伸縮帯３に取り付け、クランプ２でテスタ本体１１の両側面を把持する。次に、外部の部材に装着アダプタ４、５を装着・接続し、伸縮帯３の長さを上記のようにして調整して、テスタ本体１１を所望の高さ（例えば、指示部１１１が見やすい高さ）に配置する。さらに、装着アダプタ４、５に対してクランプ２を回転させて、テスタ本体１１を所望の方向（例えば、指示部１１１が見やすい方向）に向ける。このようにしてテスタ本体１１を外部の部材から吊り下げた状態で、テスタ１０による測定を行うものである。
【００３９】
このように、このテスタ吊り下げアダプタ１によれば、外部の部材に装着アダプタ４、５を装着・接続し、伸縮帯３の長さを変更・調整することで、テスタ本体１１が所望の高さに吊り下げられる。このため、テスタ本体１１を見やすく安定したところに置けない場合であっても、一人で容易かつ適正に測定を行うことができる。しかも、本テスタ吊り下げアダプタ１を既存・既製のテスタ１０に取り付ければよく、既存・既製のテスタ１０をそのまま使用できるばかりでなく、１つの本テスタ吊り下げアダプタ１を複数のテスタ１０に使い回しすることができ、経済的である。
【００４０】
また、伸縮帯３の長手方向を軸にして、装着アダプタ４、５に対してクランプ２が回転自在なため、クランプ２を回転させてテスタ本体１１を所望の向きに配置することができる。このため、一人での測定をより容易かつ適正に行うことが可能となる。
【００４１】
さらに、大きさが異なるテスタ本体１１をクランプ２で把持可能なため、１つの本テスタ吊り下げアダプタ１を大きさが異なる複数のテスタ１０に使用することができ、経済的である。
【００４２】
また、伸縮帯３が巻尺状でクランプ２内に収容されており、巻尺のように伸縮帯３をクランプ２から伸ばしたり縮めたりするだけでよいため、使い勝手がよい。また、伸縮帯３を完全にクランプ２内に収容することで、コンパクトになって持ち運びや保管も容易となる。
【００４３】
一方、装着アダプタ４、５が伸縮帯３に対して着脱自在なため、不要の際に装着アダプタ４、５を伸縮帯３から取り外したり、外部の部材などに応じて異なる構造や材質の装着アダプタ４、５を伸縮帯３に連結したりすることができ、使い勝手がよい。
【００４４】
（実施の形態２）
図７は、この実施の形態に係るテスタ吊り下げアダプタ１を示す正面図である。この実施の形態では、伸縮体が伸縮帯３に代わって伸縮棒６で構成されている点で実施の形態１と構成が異なり、実施の形態１と同等の構成については、同一符号を付することでその説明を省略する。
【００４５】
すなわち、伸縮棒６は、伸縮自在なロッドアンテナと同様な構造で、複数の筒体で構成されて、小径の筒体を大経の筒体から出し入れすることで伸縮自在となっている。また、伸縮棒６の基端部には連結ネジ６１が形成され、クランプ本体２１の基部２１１の幅方向の中央部上面から連結ネジ穴２１１ｃが形成されている。そして、連結ネジ６１を連結ネジ穴２１１ｃに螺合させたり螺合解除したりすることで、伸縮棒６がクランプ２に対して着脱自在となっている。
【００４６】
また、伸縮棒６の自由端部には、軸方向に延びる雌ネジ６ａが形成され、装着アダプタ４、５の雄ネジ４ａ、５ａを雌ネジ６ａに螺合させたり螺合解除したりすることで、伸縮棒６に装着アダプタ４、５を着脱自在となっている。そして、この実施の形態では、雄ネジ４ａ、５ａの雌ネジ６ａに対する螺合長さ（回転角）、または、連結ネジ６１の連結ネジ穴２１１ｃに対する螺合長さを調整することで、伸縮棒６の長手方向を軸にして、装着アダプタ４、５に対してクランプ２（テスタ本体１１）が回転自在となっている。
【００４７】
このような実施の形態によれば、伸縮棒６がクランプ２に対して着脱自在なため、不要の際に伸縮棒６をクランプ２から取り外したり、作業環境などに応じて異なる長さや材質の伸縮棒６をクランプ２に連結したりすることができ、使い勝手がよい。
【００４８】
（実施の形態３）
図８、図９は、この実施の形態に係るテスタ吊り下げアダプタ１の第２の把持部２２１の周辺を示す拡大図（一部断面図）である。この実施の形態では、テスタ本体１１を把持する構造が実施の形態１と構成が異なり、実施の形態１と同等の構成については、同一符号を付することでその説明を省略する。
【００４９】
クランプ本体２１の基部２１１の他端部の端面には嵌合穴２１１ｄが形成され、第２の把持部２２１に接続された支持部２２２が嵌合されている。また、第２の把持部２２１と支持部２２を貫通して、手回しボルト２５がクランプ本体２１の基部２１１に螺合されている。そして、図９に示すように、手回しボルト２５を緩めて第２の把持部２２１を反第１の把持部２１２側にスライドさせ、第１の把持部２１２と第２の把持部２２１の間にテスタ本体１１を配置して手回しボルト２５を締め付けることで、第１の把持部２１２と第２の把持部２２１でテスタ本体１１が把持、挟持される。このようにして、手回しボルト２５を緩めたり締めたりして第２の把持部２２１をスライドさせることで、大きさが異なるテスタ本体１１を把持可能となっている。
【００５０】
また、支持部２２２および嵌合穴２１１ｄの断面形状は、円形ではないＤ字形や角形に形成され、これにより、第２の把持部２２１が回転せずに、第１の把持部２１２に対向してスライドするようになっている。
【００５１】
このような実施の形態によれば、手回しボルト２５によって第２の把持部２２１を締め付けるため、第１の把持部２１２と第２の把持部２２１でテスタ本体１１をより強固に安定して把持することができる。
【００５２】
以上、この発明の実施の形態について説明したが、具体的な構成は、上記の実施の形態に限られるものではなく、この発明の要旨を逸脱しない範囲の設計の変更等があっても、この発明に含まれる。例えば、上記の実施の形態では、着脱手段として２種類の装着アダプタ４、５を備えているが、磁石で構成して外部の部材に磁力で吸着するものや、その他の着脱機構（例えば、吸盤）のものを備えてもよい。この際、着脱手段を磁石で構成する場合、磁性体である外部の部材が目の届きやすいところになくても、着脱手段を磁性体（外部の部材）に装着して伸縮帯３の長さやクランプ２の向きを調整することで、テスタ本体１１を目の届きやすいところに配置することができる。
【００５３】
また、伸縮体（伸縮帯３、伸縮棒６）と着脱手段（装着アダプタ４、５）とが別体となっているが、着脱手段を伸縮体に一体的に設けてもよい。また、第２の把持部２２１のみが移動するようになっているが、双方の把持部２１２、２２１が移動するようにしてもよい。さらに、クランプ２のクランプ本体２１の裏面などに磁石を設け、クランプ２をそのまま磁性体に配設できるようにしてもよい。
【符号の説明】
【００５４】
１        テスタ吊り下げアダプタ
２        クランプ（把持体）
２１２    第１の把持部
２２１    第２の把持部
３        伸縮帯（伸縮体）
４、５    装着アダプタ（着脱手段）
６        伸縮棒（伸縮体）
１０      テスタ
１１      テスタ本体
【図１】
0006657985.tif 000002
【図２】
0006657985.tif 000003
【図３】
0006657985.tif 000004
【図４】
0006657985.tif 000005
【図５】
0006657985.tif 000006
【図６】
0006657985.tif 000007
【図７】
0006657985.tif 000008
【図８】
0006657985.tif 000009
【図９】
0006657985.tif 000010